(57)【特許請求の範囲】
【請求項１】
自装置の設定項目ごとの設定値からなる第一の設定情報を有する第一の無線通信装置と、自装置の設定項目ごとの設定値からなる第二の設定情報を有する第二の無線通信装置と、を含む無線通信システムであって、
前記第一の無線通信装置は、
前記第二の無線通信装置から前記第二の設定情報を受信する受信手段と、
受信された前記第二の設定情報と前記第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記第二の無線通信装置へ送信する送信手段とを備え、
前記第二の無線通信装置は、
前記第一の無線通信装置へ前記第二の設定情報を送信する送信手段と、
前記第一の無線通信装置から書換え後の前記第二の設定情報を受信する受信手段と、
書換え後の前記第二の設定情報に基づき設定を行う設定手段とを備えた、
ことを特徴とする無線通信システム。
【請求項２】
前記第一の無線通信装置は一台であり、
前記第二の無線通信装置は複数台である、
請求項１記載の無線通信システム。
【請求項３】
書換え後の前記第二の設定情報には、中継機として動作するための設定項目及びその設定値が含まれる、
請求項１又は２記載の無線通信システム。
【請求項４】
前記第一の無線通信装置は親機モードとして動作し、
前記第二の無線通信装置は子機モードとして動作する、
請求項１乃至３のいずれか一つに記載の無線通信システム。
【請求項５】
自装置の設定項目ごとの設定値からなる第一の設定情報を有する第一の無線通信装置と、自装置の設定項目ごとの設定値からなる第二の設定情報を有する第二の無線通信装置と、の間で実行される無線通信設定方法であって、
前記第二の無線通信装置は、前記第二の設定情報を前記第一の無線通信装置へ送信し、
前記第一の無線通信装置は、前記第二の無線通信装置から前記第二の設定情報を受信し、受信された前記第二の設定情報と前記第一の設定情報とを比較し、同じ前記設定項目同士で前記設定値が異なる場合に、当該設定項目について前記第二の設定情報の設定値を前記第一の設定情報の設定値に書換え、書換え後の前記第二の設定情報を前記第二の無線通信装置へ送信し、
前記第二の無線通信装置は、前記第一の無線通信装置から書換え後の前記第二の設定情報を受信し、この第二の設定情報に基づき設定を行う、
ことを特徴とする無線通信設定方法。
【請求項６】
前記第一の無線通信装置は一台であり、
前記第二の無線通信装置は複数台である、
請求項５記載の無線通信設定方法。
【請求項７】
他装置の設定項目ごとの設定値からなる第二の設定情報を当該他装置から受信する受信手段と、
受信された前記第二の設定情報と自装置の設定項目ごとの設定値からなる第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記他装置へ送信する送信手段と、
を備えた無線通信装置。
【請求項８】
自装置の設定項目ごとの設定値からなる第二の設定情報を他装置へ送信する送信手段と、
前記他装置から書換え後の前記第二の設定情報を受信する受信手段と、
書換え後の前記第二の設定情報に基づき設定を行う設定手段と、
を備えた無線通信装置。
【請求項９】
他装置の設定項目ごとの設定値からなる第二の設定情報を当該他装置から受信する受信手段と、
受信された前記第二の設定情報と自装置の設定項目ごとの設定値からなる第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記他装置へ送信する送信手段と、
をコンピュータに機能させるための無線通信設定プログラム。
【請求項１０】
自装置の設定項目ごとの設定値からなる第二の設定情報を他装置へ送信する送信手段と、
前記他装置から書換え後の前記第二の設定情報を受信する受信手段と、
書換え後の前記第二の設定情報に基づき設定を行う設定手段と、
をコンピュータに機能させるための無線通信設定プログラム。
【発明の詳細な説明】
【技術分野】
【０００１】
本発明は、無線通信の設定に特徴を有する無線通信システム等に関する。
【背景技術】
【０００２】
現在の無線ＬＡＮ装置は多数の機能が搭載されており、それに伴い、設定情報も多く存在するようになった。また、新しく無線ＬＡＮ装置を買い換えた後に設定するときは、同じような設定を一からやり直すことになり、非常に面倒である。従来技術では、その設定情報を入力する操作を簡略化するため、有線接続で書き込めるようにしたものや、中継機を利用して無線で設定情報を書き込めるようにしたものがあった。しかし、設定する際にはケーブルや中継機が必要であるため、それらを持ち合わせていないと設定が不可能であった。
【０００３】
特許文献１では、初期設定を必要とする未設定の無線ＬＡＮ端末に、無線ＬＡＮ制御装置に保存されている設定情報を、既に初期設定が行われている無線ＬＡＮ端末を介して書き込む。ここで使用される無線ＬＡＮ端末には「設定仲介部」と「初期設定部」が具備されている。まず、未設定の無線ＬＡＮ端末の初期設定部から、設定済みの無線ＬＡＮ端末の設定仲介部へ、ＭＡＣアドレスを送出する。続いて、設定済みの無線ＬＡＮ端末が、ＭＡＣアドレス取得後、無線ＬＡＮ制御装置から初期設定情報を取得する。最後に、設定済みの無線ＬＡＮ端末の設定仲介部から、未設定の無線ＬＡＮ端末の初期設定部へ、初期設定情報を書き込む。
【０００４】
特許文献２では、デジタルカメラとプリンタをＵＳＢケーブルで接続したときに、プリンタから無線接続の設定情報をデジタルカメラに送り、これをデジタルカメラのフラッシュＲＯＭに登録する。この動作を行うことにより、デジタルカメラとプリンタを無線で接続できるようになる。
【０００５】
特許文献３では、ＰＣからＵＳＢメモリ内に設定情報を保存し、このＵＳＢメモリを別のプリンタのＵＳＢポートにつないでＰＣとプリンタとの無線接続を可能にする。つまり、設定情報をＵＳＢメモリに保存し、他の装置に対してその設定内容を適用する。
【０００６】
特許文献４では、ユーザがリモコンのボタンを操作することにより、レコーダとテレビとの無線通信を確立する。
【０００７】
特許文献５では、電力線通信の分野において、ボタンの押下を認識する制御部が記載されている。
【先行技術文献】
【特許文献】
【０００８】
【特許文献１】特開２００７‐１１０１９０号公報
【特許文献２】特開２００４‐３２８２８８号公報
【特許文献３】特開２００６‐２９３７８７号公報
【特許文献４】特開２００６‐１９１４０３号公報
【特許文献５】特開２００８‐１９９２７９号公報
【発明の概要】
【発明が解決しようとする課題】
【０００９】
無線ＬＡＮ装置を使用するとき、暗号モードや接続設定といった設定情報を入力しなければならない。従来でも設定情報のバックアップ機能を備えているものがあり、バックアップツールで一旦設定情報を記録し、初期化後、その設定情報を書き込むこともできる。しかし、新たに別の無線ＬＡＮ装置を使用するとなると、また最初から設定をやり直すことになり、非常に面倒である。これまでも設定情報を書き込む技術は多数あったが、有線を使用したり、途中に中継機が必要であったりと、設定を行う前に煩雑な準備が必要であった。
【００１０】
特許文献１では、未設定の無線ＬＡＮ端末に書き込みたい設定情報を一旦保存するための無線ＬＡＮ制御装置を必要とし、しかも、未設定の無線ＬＡＮ端末と初期設定されている無線ＬＡＮ端末とは同じ構造（同機種）でなければならない。
【００１１】
特許文献２では、設定情報の送信に無線を使用できないため、設定情報の送信に有線又はメモリカード等を必要とする。
【００１２】
特許文献３では、ＵＳＢメモリに一旦設定情報を保存しなければならず、また、ＵＳＢポートがない装置では設定情報を書き込むこともできない。
【００１３】
特許文献４では、ユーザがリモコンのボタンを押してパスワードを入力する手間がかかる。
【００１４】
そこで、本発明の目的は、二台の無線通信装置のみで簡単に設定可能な無線通信システム等を提供することにある。
【課題を解決するための手段】
【００１５】
本発明に係る無線通信システムは、
自装置の設定項目ごとの設定値からなる第一の設定情報を有する第一の無線通信装置と、自装置の設定項目ごとの設定値からなる第二の設定情報を有する第二の無線通信装置と、を含む無線通信システムであって、
前記第一の無線通信装置は、
前記第二の無線通信装置から前記第二の設定情報を受信する受信手段と、
受信された前記第二の設定情報と前記第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記第二の無線通信装置へ送信する送信手段とを備え、
前記第二の無線通信装置は、
前記第一の無線通信装置へ前記第二の設定情報を送信する送信手段と、
前記第一の無線通信装置から書換え後の前記第二の設定情報を受信する受信手段と、
書換え後の前記第二の設定情報に基づき設定を行う設定手段とを備えた、
ことを特徴とする。
【発明の効果】
【００１６】
本発明によれば、第二の無線通信装置から第一の無線通信装置に送られた設定情報が、第一の無線通信装置で書き換えられて、第二の無線通信装置へ戻されることにより、二台の無線通信装置のみで簡単に設定可能な無線通信システム等を提供することができる。
【図面の簡単な説明】
【００１７】
【図１】実施形態１の無線通信ＬＡＮシステムを示すブロック図である。
【図２】実施形態２の無線ＬＡＮシステムの動作を示すフローチャートである。
【図３】実施形態２における項目一覧表の一例を示す図表である。
【図４】実施形態３の無線通信システムを示すブロック図である。
【図５】実施形態４の無線ＬＡＮシステムの動作を示すフローチャートである。
【発明を実施するための形態】
【００１８】
以下、添付図面を参照しながら、本発明を実施するための形態（以下「実施形態」という。）について説明する。各実施形態では、「無線通信」、「設定情報」のそれぞれの一例として、「無線ＬＡＮ」、「項目一覧表」を採り上げる。なお、本明細書及び図面において、実質的に同一の構成要素については同一の符号を用いる。
【００１９】
図１は、実施形態１の無線ＬＡＮシステムを示すブロック図である。以下、この図面に基づき説明する。
【００２０】
本実施形態１の無線ＬＡＮシステム１００は、自装置の設定項目ｉ１，ｉ２，ｉ３，…ごとの設定値ａ１，ａ２，ａ３，…からなる第一の項目一覧表ａを有する第一の無線ＬＡＮ装置Ａと、自装置の設定項目ｉ１，ｉ２，ｉ３，…ごとの設定値ｂ１，ｂ２，ｂ３，…からなる第二の項目一覧表ｂを有する第二の無線ＬＡＮ装置Ｂと、を含む。以下、「第一の項目一覧表ａ」、「第一の無線ＬＡＮ装置Ａ」、「第二の項目一覧表ｂ」、「第二の無線ＬＡＮ装置Ｂ」を、それぞれ「項目一覧表ａ」、「無線ＬＡＮ装置Ａ」、「項目一覧表ｂ」、「無線ＬＡＮ装置Ｂ」と略称する。
【００２１】
無線ＬＡＮ装置Ａは、制御部Ａ１、送受信部Ａ２、アンテナＡ３などを有する。送受信部Ａ２及びアンテナＡ３は、送受信用の一般的なハードウェアである。制御部Ａ１は、例えばマイクロコンピュータ及びそのプログラムからなり、無線ＬＡＮ装置Ｂから項目一覧表ｂを受信する受信手段１１と、受信された項目一覧表ｂと項目一覧表ａとを比較する比較手段１２と、比較された同じ設定項目ｉ１，…同士で設定値ａ１，ｂ１，…が異なる場合に、当該設定項目について項目一覧表ｂの設定値ｂ１，…を項目一覧表ａの設定値ａ１，…に書換える書換え手段１３と、書換え後の項目一覧表ｂを無線ＬＡＮ装置Ｂへ送信する送信手段１４とを備えている。
【００２２】
無線ＬＡＮ装置Ｂは、制御部Ｂ１、送受信部Ｂ２、アンテナＢ３などを有する。送受信部Ｂ２及びアンテナＢ３は、送受信用の一般的なハードウェアである。制御部Ｂ１は、例えばマイクロコンピュータ及びそのプログラムからなり、無線ＬＡＮ装置Ａへ項目一覧表ｂを送信する送信手段２１と、無線ＬＡＮ装置Ａから書換え後の項目一覧表ｂを受信する受信手段２２と、書換え後の項目一覧表ｂに基づき設定を行う設定手段２３とを備えている。
【００２３】
本実施形態１によれば、無線ＬＡＮ装置Ｂから無線ＬＡＮ装置Ａに送られた項目一覧表ｂが、無線ＬＡＮ装置Ａで書き換えられて、無線ＬＡＮ装置Ｂへ戻されることにより、二台の無線ＬＡＮ装置Ａ，Ｂのみで簡単に設定可能な無線ＬＡＮシステム１００を提供することができる。換言すると、無線ＬＡＮ装置Ｂの設定をＰＣ等の中継機を使わずに引き継ぐことができ、初期設定が簡単にできる。
【００２４】
また、無線ＬＡＮ装置Ａは一台であり、無線ＬＡＮ装置Ｂは複数台である、としてもよい。書換え後の項目一覧表ｂには、中継機として動作するための設定項目及びその設定値が含まれる、としてもよい。無線ＬＡＮ装置Ａは親機モードとして動作し、無線ＬＡＮ装置Ｂは子機モードとして動作する、としてもよい。
【００２５】
本実施形態１の無線ＬＡＮ設定方法は、本実施形態１の無線ＬＡＮシステム１００の動作を方法の発明として捉えたものである。すなわち、本実施形態１の無線ＬＡＮ設定方法は、自装置の設定項目ｉ１，ｉ２，ｉ３，…ごとの設定値ａ１，ａ２，ａ３，…からなる項目一覧表ａを有する無線ＬＡＮ装置Ａと、自装置の設定項目ｉ１，ｉ２，ｉ３，…ごとの設定値ｂ１，ｂ２，ｂ３，…からなる項目一覧表ｂを有する無線ＬＡＮ装置Ｂと、の間で実行される無線ＬＡＮ設定方法であって、次の手順を含む。
【００２６】
まず、無線ＬＡＮ装置Ｂは、項目一覧表ｂを無線ＬＡＮ装置Ａへ送信する。続いて、無線ＬＡＮ装置Ａは、無線ＬＡＮ装置Ｂから項目一覧表ｂを受信し、受信された項目一覧表ｂと項目一覧表ａとを比較し、同じ設定項目ｉ１，…同士で設定値ａ１，ｂ１，…が異なる場合に、当該設定項目について項目一覧表ｂの設定値ｂ１，…を項目一覧表ａの設定値ａ１，…に書換え、書換え後の項目一覧表ｂを無線ＬＡＮ装置Ｂへ送信する。最後に、無線ＬＡＮ装置Ｂは、無線ＬＡＮ装置Ａから書換え後の項目一覧表ｂを受信し、その項目一覧表ｂに基づき設定を行う。
【００２７】
本実施形態１の無線ＬＡＮ設定プログラムは、本実施形態１の無線ＬＡＮ装置Ａ，Ｂの各手段をコンピュータに機能させるためのものである。このコンピュータは、ＣＰＵ、メモリ、入出力インタフェースなどからなる一般的なものでよい。このＣＰＵは、このメモリに格納された本無線ＬＡＮ設定プログラムを一行ずつ読み出し、解釈し、実行する。また、本無線ＬＡＮ設定プログラムは、非一時的な記録媒体（non-transitory storage medium）、例えば光ディスク、半導体メモリなどに記録されてもよい。その場合、本無線ＬＡＮ設定プログラムは、記録媒体からコンピュータによって読み出され、実行される。
【００２８】
図２は、実施形態２の無線ＬＡＮシステムの動作を示すフローチャートである。図３は、実施形態２における項目一覧表の一例を示す図表である。以下、図１乃至図３に基づき説明する。
【００２９】
本実施形態２で使用する無線ＬＡＮシステムは、図１に示す実施形態１の無線ＬＡＮシステム１００と基本的に同じである。したがって、図１に基づき、無線ＬＡＮ装置Ａから無線ＬＡＮ装置Ｂへ設定値を書き込むときの接続形態を説明する。本実施形態２では、設定情報の転送元を無線ＬＡＮ装置Ａ、転送先を無線ＬＡＮ装置Ｂとする。また、設定の前提として、無線ＬＡＮ装置Ａは親機モード、無線ＬＡＮ装置Ｂは子機モードとして動作させておき、更に、無線ＬＡＮ装置Ｂは初期化（出荷状態）しておく。無線ＬＡＮ装置Ａと無線ＬＡＮ装置Ｂとを無線で接続した後、無線ＬＡＮ装置Ａ（親機側）の設定値を無線ＬＡＮ装置Ｂ（子機側）へ書き込む動作を行う。
【００３０】
図２に、本実施形態２における動作の流れを示す。ここで、無線ＬＡＮ装置Ａ，Ｂは親機／子機動作モードを搭載しているものとして説明する。まず、無線ＬＡＮ装置Ａを起動させる。起動時に、無線ＬＡＮ装置Ａが親機として動作しているか否かを判別する（ステップＳ１１）。無線ＬＡＮ装置Ａが親機として動作していることを確認できたら、無線ＬＡＮ装置Ａの設定値を書き込みたい無線ＬＡＮ装置Ｂに対して、無線ＬＡＮ装置Ａを簡単セットアップ等を利用して無線接続する（ステップＳ１２）。この接続が確認できたら、接続先の無線ＬＡＮ装置Ｂが親機／子機モードを切り替えて動作する装置であるか否かを判別する（ステップＳ１３）。無線ＬＡＮ装置Ｂが親機／子機モードを切り替えて動作する装置であることを確認できたら、その無線ＬＡＮ装置Ｂが初期化されているか否かを判別する（ステップＳ１４）。
【００３１】
無線ＬＡＮ装置Ｂが初期化されていれば、無線ＬＡＮ装置Ａの設定値を無線ＬＡＮ装置Ｂに書き込む段階に入る。一般に、無線ＬＡＮ装置には暗号モードやユーザ情報などの設定値がたくさんあり、また、無線ＬＡＮ装置ごとに設定項目があったりなかったりと多くの異なる点がある。分かりやすいところでは、２．４ＧＨｚ通信のみが可能である装置と、２．４ＧＨｚ／５ＧＨｚ通信の両方が可能である装置とがある。
【００３２】
そこで、無線ＬＡＮ装置Ａと無線ＬＡＮ装置Ｂとで接続が完了したあと、無線ＬＡＮ装置Ｂの設定項目の中から設定が可能な設定値を抜き出した項目一覧表ｂを、無線ＬＡＮ装置Ｂから無線ＬＡＮ装置Ａへ送る（ステップＳ１５）。無線ＬＡＮ装置Ａは、受け取った無線ＬＡＮ装置Ｂの項目一覧表ｂと自身の項目一覧表ａとを比較し、設定値が異なる設定項目を上書きしていく（ステップＳ１６）。無線ＬＡＮ装置Ａは、それらの設定値を書き込んだ後、その項目一覧表ｂを無線ＬＡＮ装置Ｂへ送る（ステップＳ１７）。
【００３３】
図３に、設定値を書き込む流れを示す。無線ＬＡＮ装置Ａと無線ＬＡＮ装置Ｂとの接続が完了した後、無線ＬＡＮ装置Ｂから項目一覧表ｂを無線ＬＡＮ装置Ａへ送る（ステップＳ１５）。設定できる項目としては、例えばユーザＩＤ、パスワード、ＳＳＩＤ、暗号モードなどがある。無線ＬＡＮ装置Ａが無線ＬＡＮ装置Ｂから項目一覧表ｂを受け取ったら、無線ＬＡＮ装置Ａに設定されている設定値を項目一覧表ｂに書き込んでいく（ステップＳ１６）。
【００３４】
書き込む内容については、全ての項目を書き換える必要はなく、無線ＬＡＮ装置Ａ側であらかじめ書き込む項目を設定しておくことも可能である。このとき、無線ＬＡＮ装置Ａから無線ＬＡＮ装置Ｂへ書き込む該当設定項目がなければ、その項目については書き換えを行わない。例えば、無線ＬＡＮ装置Ａが２．４ＧＨｚ／５ＧＨｚ同時動作装置であり、無線ＬＡＮ装置Ｂが２．４ＧＨｚ単体動作装置である場合、２．４ＧＨｚで設定しているＣＨ情報は設定値を書き込み、５ＧＨｚで設定しているＣＨ情報は設定値を書き込まない。また、設定項目はあるものの書き込む該当設定値がない場合も設定値は書き換えず、もとあった設定値のまま送り返す。例えば、暗号モードについて無線ＬＡＮ装置ＡではＷＰＡ２で設定されており、無線ＬＡＮ装置ＢではＷＰＡ−Ｍｉｘ対応だった場合は、これを無線ＬＡＮ装置Ａの設定値に書き換えられないため、もとあった設定値（ここではＷＰＡ−Ｍｉｘモード）のまま送り返すこととなる。
【００３５】
一通り書き込みが完了したら、書き込んだ項目一覧表ｂを無線ＬＡＮ装置Ｂへ送信する（ステップＳ１７）。そして、無線ＬＡＮ装置Ｂでその項目一覧表ｂを受信したら、書き込まれた内容をもとに無線ＬＡＮ装置Ｂへ設定値を書き込む（ステップＳ１８）。
【００３６】
このようにして、従来利用していた無線ＬＡＮ装置Ａの設定値（ユーザＩＤ、パスワード等）を、新たに利用する無線ＬＡＮ装置Ｂに引き継ぐことができる。
【００３７】
図４は、実施形態３の無線ＬＡＮシステムを示すブロック図である。以下、この図面に基づき説明する。
【００３８】
前述の実施形態２は、１対１の無線ＬＡＮ装置同士の設定に関するものである。一方、会社などでは、同じ設定をした複数台の無線ＬＡＮ装置が必要になる場合がある。そこで、本実施形態３では、複数台の無線ＬＡＮ装置に対しても同じように設定動作を行うことができるようにしている。
【００３９】
本実施形態３の無線ＬＡＮシステム１０１は、無線ＬＡＮ装置Ａ，Ｂ，Ｃを含む。図４に、複数台の無線ＬＡＮ装置Ｂ，Ｃに対して無線ＬＡＮ装置Ａの設定値を書き込む際の接続形態を示す。複数台の無線ＬＡＮ装置に対して設定値を書き込むときも、動作の流れは、図２及び図３に示す実施形態２の場合と同様である。
【００４０】
ここでは、無線ＬＡＮ装置Ａは親機モードとして動作しており、無線ＬＡＮ装置Ｂ，Ｃは子機モードとして動作している。また、無線ＬＡＮ装置Ｂ，Ｃともに初期化（出荷状態）にしておく。まず、無線ＬＡＮ装置Ａが親機として動作しているか否かを判別する。親機として動作していることが確認できたら、無線ＬＡＮ装置Ａの設定値を書き込みたい無線ＬＡＮ装置Ｂ，Ｃに対して、無線ＬＡＮ装置Ａを無線接続する。接続が確認できたら、接続先の無線ＬＡＮ装置Ｂ，Ｃが親機／子機モードを切り替えて動作する装置であるか否かを判別する。親機／子機モードを切り替えて動作する装置であることが確認できたら、その無線ＬＡＮ装置Ｂ，Ｃが初期化されているか否かを判別する。
【００４１】
初期化されていれば、無線ＬＡＮ装置Ｂ，Ｃからそれぞれ項目一覧表ｂ，ｃが無線ＬＡＮ装置Ａに送られる。無線ＬＡＮ装置Ａでは、それらの項目一覧表ｂ，ｃに設定値が書き込まれ、書き込まれた項目一覧表ｂ，ｃがそれぞれの無線ＬＡＮ装置Ｂ，Ｃへ送付される。このとき、ＳＳＩＤなどの、無線ＬＡＮ装置ごとにユニークな情報を書き込むことで、複数の無線ＬＡＮ装置を運用するための設定を簡易に行うこともできる。
【００４２】
図５は、実施形態４の無線ＬＡＮシステムの動作を示すフローチャートである。以下、図１及び図５に基づき説明する。
【００４３】
本実施形態４で使用する無線ＬＡＮシステムは、図１に示す実施形態１の無線ＬＡＮシステム１００と基本的に同じである。したがって、図１に基づき、無線ＬＡＮ装置Ａから無線ＬＡＮ装置Ｂへ設定値を書き込むときの接続形態を説明する。本実施形態４は、無線ＬＡＮ装置Ｂを中継機として利用する場合に関するものである。ここでは、無線ＬＡＮ装置Ａ，Ｂの接続を簡単セットアップ等で行う際に使用する接続ボタンを押す時間に応じて、無線ＬＡＮ装置Ｂを親機として使用する場合と中継機として使用する場合との二種類の動作について説明する。
【００４４】
ここで、無線ＬＡＮ装置Ａ，Ｂは親機／子機動作モードを搭載しているものとして説明する。まず、無線ＬＡＮ装置Ａを起動させる。起動時に無線ＬＡＮ装置Ａが親機として動作しているか否かを判別する（ステップＳ２１）。親機として動作していることが確認できたら、無線ＬＡＮ装置Ａと無線ＬＡＮ装置Ｂとを簡単セットアップ等を利用して無線接続する（ステップＳ２２）。
【００４５】
このとき、簡単セットアップの操作方法により、無線ＬＡＮ装置Ｂの動作モードを親機モードにするか中継機モードにするかを決定する。具体例として、無線ＬＡＮ装置Ｂの本体に付いている接続ボタンを操作して、簡単セットアップで接続を確立する場合について説明する。すなわち、無線ＬＡＮ装置Ｂを親機モードとして動作させるときは接続ボタンを１０秒未満押し、中継機として動作させるときは１０秒以上押し、接続を確立する際にこの接続ボタンの押下時間を記憶しておく。
【００４６】
接続完了後、接続先の無線ＬＡＮ装置Ｂが親機／子機モードを切り替えて動作する装置であるか否かを判別する（ステップＳ２３）。親機／子機モードを切り替えて動作する装置であることが確認できたら、無線ＬＡＮ装置Ｂから無線ＬＡＮ装置Ａへ項目一覧表ｂを送り（ステップＳ２４）、無線ＬＡＮ装置Ａの設定値を書き込む（ステップＳ２５）。
【００４７】
このとき、先程の接続ボタンの押下時間が１０秒以上であった場合は（ステップ２６）、無線ＬＡＮ装置Ａの設定値に加え、中継機として動作するのに必要な設定値も付け加える（ステップ２７）。
【００４８】
続いて、書換え後の項目一覧表ｂを無線ＬＡＮ装置Ａから無線ＬＡＮ装置Ｂへ送り（ステップＳ２８）、無線ＬＡＮ装置Ｂに設定値を書き込む（ステップＳ２９）。
【００４９】
このときに送られる項目一覧表ｂに含まれる中継機設定情報の有無により（ステップＳ３０）、無線ＬＡＮ装置Ｂの動作モードを決定する（ステップＳ３１，Ｓ３２）。以上の流れを経て、無線ＬＡＮ装置Ｂの設定及び動作モードの決定を行う。
【００５０】
換言すると、本発明は、二台の無線ＬＡＮ装置のみを使用して、一つの無線ＬＡＮ装置から別の無線ＬＡＮ装置へ無線通信を利用して設定情報を直接書き込むものである。本発明によれば、二台の無線ＬＡＮ装置のみで簡単に設定を行える。
【００５１】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００５２】
上記の実施形態の一部又は全部は以下の付記のようにも記載され得るが、本発明は以下の構成に限定されるものではない。
【００５３】
［付記１］自装置の設定項目ごとの設定値からなる第一の設定情報を有する第一の無線通信装置と、自装置の設定項目ごとの設定値からなる第二の設定情報を有する第二の無線通信装置と、を含む無線通信システムであって、
前記第一の無線通信装置は、
前記第二の無線通信装置から前記第二の設定情報を受信する受信手段と、
受信された前記第二の設定情報と前記第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記第二の無線通信装置へ送信する送信手段とを備え、
前記第二の無線通信装置は、
前記第一の無線通信装置へ前記第二の設定情報を送信する送信手段と、
前記第一の無線通信装置から書換え後の前記第二の設定情報を受信する受信手段と、
書換え後の前記第二の設定情報に基づき設定を行う設定手段とを備えた、
ことを特徴とする無線通信システム。
【００５４】
［付記２］前記第一の無線通信装置は一台であり、
前記第二の無線通信装置は複数台である、
付記１記載の無線通信システム。
【００５５】
［付記３］書換え後の前記第二の設定情報には、中継機として動作するための設定項目及びその設定値が含まれる、
付記１又は２記載の無線通信システム。
【００５６】
［付記４］前記第一の無線通信装置は親機モードとして動作し、
前記第二の無線通信装置は子機モードとして動作する、
付記１乃至３のいずれか一つに記載の無線通信システム。
【００５７】
［付記５］自装置の設定項目ごとの設定値からなる第一の設定情報を有する第一の無線通信装置と、自装置の設定項目ごとの設定値からなる第二の設定情報を有する第二の無線通信装置と、の間で実行される無線通信設定方法であって、
前記第二の無線通信装置は、前記第二の設定情報を前記第一の無線通信装置へ送信し、
前記第一の無線通信装置は、前記第二の無線通信装置から前記第二の設定情報を受信し、受信された前記第二の設定情報と前記第一の設定情報とを比較し、同じ前記設定項目同士で前記設定値が異なる場合に、当該設定項目について前記第二の設定情報の設定値を前記第一の設定情報の設定値に書換え、書換え後の前記第二の設定情報を前記第二の無線通信装置へ送信し、
前記第二の無線通信装置は、前記第一の無線通信装置から書換え後の前記第二の設定情報を受信し、この第二の設定情報に基づき設定を行う、
ことを特徴とする無線通信設定方法。
【００５８】
［付記６］前記第一の無線通信装置は一台であり、
前記第二の無線通信装置は複数台である、
付記５記載の無線通信設定方法。
【００５９】
［付記７］他装置の設定項目ごとの設定値からなる第二の設定情報を当該他装置から受信する受信手段と、
受信された前記第二の設定情報と自装置の設定項目ごとの設定値からなる第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記他装置へ送信する送信手段と、
を備えた無線通信装置。
【００６０】
［付記８］自装置の設定項目ごとの設定値からなる第二の設定情報を他装置へ送信する送信手段と、
前記他装置から書換え後の前記第二の設定情報を受信する受信手段と、
書換え後の前記第二の設定情報に基づき設定を行う設定手段と、
を備えた無線通信装置。
【００６１】
［付記９］他装置の設定項目ごとの設定値からなる第二の設定情報を当該他装置から受信する受信手段と、
受信された前記第二の設定情報と自装置の設定項目ごとの設定値からなる第一の設定情報とを比較する比較手段と、
比較された同じ前記設定項目同士で前記設定値が異なる場合に、当該設定項目について前記第二の設定情報の設定値を前記第一の設定情報の設定値に書換える書換え手段と、
書換え後の前記第二の設定情報を前記他装置へ送信する送信手段と、
をコンピュータに機能させるための無線通信設定プログラム。
【００６２】
［付記１０］自装置の設定項目ごとの設定値からなる第二の設定情報を他装置へ送信する送信手段と、
前記他装置から書換え後の前記第二の設定情報を受信する受信手段と、
書換え後の前記第二の設定情報に基づき設定を行う設定手段と、
をコンピュータに機能させるための無線通信設定プログラム。
【符号の説明】
【００６３】
Ａ  無線ＬＡＮ装置
Ａ１  制御部
Ａ２  送受信部
Ａ３  アンテナ
ａ  項目一覧表
ｉ１，ｉ２，ｉ３  設定項目
ａ１，ａ２，ａ３  設定値
１１  受信手段
１２  比較手段
１３  書換え手段
１４  送信手段
Ｂ  無線ＬＡＮ装置
Ｂ１  制御部
Ｂ２  送受信部
Ｂ３  アンテナ
ｂ  項目一覧表
ｂ１，ｂ２，ｂ３  設定値
２１  送信手段
２２  受信手段
２３  設定手段
Ｃ  無線ＬＡＮ装置
ｃ  項目一覧表
１００  無線ＬＡＮシステム
１０１  無線ＬＡＮシステム
【図１】
0005541543.tif 000002
【図２】
0005541543.tif 000003
【図３】
0005541543.tif 000004
【図４】
0005541543.tif 000005
【図５】
0005541543.tif 000006